(57)【要約】【課題】  スイングショットの力強さを増進させることが可能なゴルフスイング訓練器具を提供する。【解決手段】  ゴルフスイング訓練器具はシャフトの挿接に供される金属ネック部を有するゴルフクラブにおいて使用されるものであり、該訓練器具１０は軸孔１１と、訓練器１０具の外側より該軸孔１１に通じ、訓練器具１０の軸孔１１に沿った横断面の内壁面が略Ｃ形を呈するようにさせる切込１２とを備え、該軸孔１１の内径は該クラブヘッドのネック部の外径と等しいかもしくは略大となり、該切込１２の幅はシャフトの挿接端の外径より大きくなり、クラブヘッドのネック部の外径より小さくなる。【選択図】  図１
2006346079.tif 000002
【特許請求の範囲】
【請求項１】
シャフトの挿接に供される金属のネック部をクラブヘッドに有するゴルフクラブにおいて使用されるゴルフスイング訓練器具であって、軸孔と、ゴルフスイング訓練器具の外側より前記軸孔に通じ、ゴルフスイング訓練器具が軸孔横断面の内壁面に沿って略Ｃ形を呈するようにさせる切込とを備え、前記軸孔の内径は前記クラブヘッドのネック部の外径と等しいかまたは略大きく、前記切込の幅はシャフトの挿接端の外径よりも略大きく、クラブヘッドのネック部の外径よりも小さいことを特徴とするゴルフスイング訓練器具。
【請求項２】
金属から成ることを特徴とする請求項１記載のゴルフスイング訓練器具。
【請求項３】
軸孔内壁面に弾性のカバー部材が設けられることを特徴とする請求項１記載のゴルフスイング訓練器具。
【請求項４】
軸孔内壁面に溝が設けられ、前記弾性カバー部材は弾性の差込部材であって、溝に嵌設され、溝の外側に突出部分を現すことを特徴とする請求項３記載のゴルフスイング訓練器具。
【請求項５】
軸孔の中心線軸方向と切込の中心線軸方向とは平行を呈することを特徴とする請求項１記載のゴルフスイング訓練器具。
【請求項６】
軸孔の中心線軸方向と切込の中心線軸方向とは傾きを呈することを特徴とする請求項１記載のゴルフスイング訓練器具。
【請求項７】
ゴムまたはプラスチック、もしくはその混合体からなる殻体を備え、前記殻体は前記軸孔及び前記切込を有し、殻体内に重量配分部材が設けられることを特徴とする請求項１記載のゴルフスイング訓練器具。
【請求項８】
前記重量配分部材は１個または１個以上の金属ブロックであり、予め埋設または嵌設の方式によって殻体に設けられることを特徴とする請求項７記載のゴルフスイング訓練器具。
【請求項９】
前記重量配分部材は金属砂または金属顆粒であり、殻体内を充填することを特徴とする請求項７記載のゴルフスイング訓練器具。
【請求項１０】
発光ユニットが設けられ、その光源は使用者の顔の方向へ向くことを特徴とする請求項１記載のゴルフスイング訓練器具。
【請求項１１】
前記発光ユニットは発光ダイオード及び少なくとも１個のバッテリーを有することを特徴とする請求項１０記載のゴルフスイング訓練器具。
【請求項１２】
前記発光ユニットは発光ユニットの開閉を制御するためのスイッチを有することを特徴とする請求項１１記載のゴルフスイング訓練器具。
【発明の詳細な説明】
【技術分野】
【０００１】
本発明はゴルフ運動用具に関し、特にゴルフの素振り訓練用の訓練器具に関する。
【背景技術】
【０００２】
ゴルフ運動は素振り訓練を有するもの、すなわちゴルフクラブを振って練習するものである。但し、球を打たなくても、一にクラブを振る動作を訓練し、二に筋肉を引き伸ばすことで、ゴルフ開始前の準備運動とすることができる。適当なスペースさえあれば、自宅でも、オフィスでも、練習場あるいはゴルフ場でも素振りによってウォーミングアップすることが可能であるため、運動による怪我を避けることができ、また常に練習することで打撃ショットの力強さが増進する効果がある。
【０００３】
特許文献１では、ゴルフグリップの端面に端部カバーを設け、内部に硬貨を入れ、それをグリップの最上部に嵌め込んでカバーし、これによってゴルフクラブのスイング重量（swing weight）の調整を行う技術を開示している。この方式ではゴルフクラブ全体の重量を増加させることが可能であったが、ゴルフクラブの重心をグリップの端の方へ移動させることになり、訓練効果ということでは理想的なものではなかった。
【０００４】
【特許文献１】米国特許第５７６６０８８号明細書
【発明の開示】
【発明が解決しようとする課題】
【０００５】
本発明の主な目的は、スイングショットの力強さを増進させることが可能なゴルフスイング訓練器具を提供することである。
本発明のもう１つの目的は、使用者にスイング経路をはっきりと観察させることを可能とし、スイング動作を修正するのに便利であるゴルフスイング訓練器具を提供することである。
【課題を解決するための手段】
【０００６】
上記に掲げた主な目的を達成するために、本発明が提供するゴルフスイング訓練器具はシャフトの挿接に供される金属ネック部を有するゴルフクラブにおいて使用されるものであり、該訓練器具は軸孔と、訓練器具の外側より該軸孔に通じ、訓練器具の軸孔に沿った横断面の内壁面が略Ｃ形を呈するようにさせる切込とを備え、該軸孔の内径は該クラブヘッドのネック部の外径と等しいかもしくは略大となり、該切込の幅はシャフトの挿接端の外径より大きくなり、クラブヘッドのネック部の外径より小さくなる。使用時において、まず訓練器具の切込にシャフトの挿接端を通して下方に移動させ、軸孔を利用してクラブヘッドのネック部をカバーし、嵌め込み固定して位置決めを行う。スイングの遠心力によって訓練器具はクラブヘッド方向へ押し動かされ、また、切込の幅がネック部の幅よりも小さいため、訓練器具が突発的に抜け出る危険はなくなる。使用しない時は、訓練器具をシャフトに沿ってグリップ方向へと移動させ、軸孔をネック部位置から離すだけで、訓練器具を切込に沿ってシャフトから取り出すことが可能であり、操作をする上で大変便利である。
【０００７】
上記に掲げたもう一つの目的を達成するために、本発明が提供するゴルフスイング訓練器具には、一端の面に発光ユニットが設けられ、持続または間歇の発光ができ、訓練器具をゴルフクラブヘッドに組み立てる際、発光ユニットの光源はグリップ方向、つまり使用者の顔の方向に向く。ゆえに、使用者がスイング練習をする際、発光ユニットから光源が移動した時に形成される光線の軌跡をはっきりと見ることが可能となる。これはすなわち、クラブヘッドの移動の軌跡であり、この光線の軌跡によって、クラブヘッドが前進する軌跡が正確か否かを観察することができ、使用者が自己のスイング動作を修正するために有利となる。
【発明を実施するための最良の形態】
【０００８】
以下、７つの実施例を挙げ、図面の説明と合わせて説明する。
図１は本発明の第１の実施例による訓練器具を示す立体図である。
図２は図１の訓練器具を示す正面図である。
図３は図１の訓練器具を示す平面図である。
図４は図３中の４−４切断線に沿った断面図である。
【０００９】
図５は本発明の第１の実施例による切込をシャフトの挿接端に嵌合した状態を示す模式図である。
図６は図５中の６−６切断線に沿った断面図である。
図７は図５中の訓練器具を下方に移動し、クラブヘッドのネック部に嵌合させた状態を示す模式図である。
【００１０】
図８は図７中の８−８切断線に沿った断面図である。
図９は本発明の第２の実施例による訓練器具を示す立体図である。
図１０は図９の訓練器具を示す正面図である。
図１１は本発明の第３の実施例による訓練器具の局部を切断した状態を示す立体図である。
【００１１】
図１２は本発明の第４の実施例による訓練器具を示す立体図である。
図１３は本発明の第５の実施例による訓練器具の局部を切断した状態を示す立体図である。
図１４は本発明の第６の実施例による訓練器具の局部を切断した状態を示す立体図である。
図１５は概ね図１４と同じであり、スイッチ増設の形態を示している。
図１６は本考案の第６の実施例による訓練器具の使用状態を示す模式図であり、スイング時における発光ダイオードが形成する軌跡を表示している。
図１７は本発明の第７の実施例による訓練器具を示す立体図である。
【００１２】
図１から図４に示すように、本発明の第１の実施例の訓練器具１０は金属製であり、略Ｃ形を呈する柱体であり、軸孔１１及び切込１２を有し、軸孔１１の内壁面に３本の平行した溝１３が設けられ、各溝１３毎にそれぞれ弾性の差込部材１４が嵌設され、弾性の差込部材１４は軸孔１１の壁面から略突出している。軸孔１１の直径をＲ、切込１２の幅をＷとし、Ｒ＞Ｗとする。
【００１３】
図５に示すように、ゴルフクラブ９０のクラブヘッド９１のネック部９２の外径幅をＮとし、シャフト９３がネック部と隣接する部位の外径幅をＳとし、Ｎ＞Ｓとする。
訓練器具の軸孔１１の直径Ｒはクラブヘッドのネック部９２の外径幅Ｎより略大または等しくなり、Ｒ≧Ｎとなる。
訓練器具１０の切込１２の幅Ｗは、シャフト９２の挿接端の外径幅Ｓより大きく、クラブヘッドのネック部９２の外径幅Ｎより小さくなり、Ｎ＞Ｗ＞Ｓとなる。
つまりのところ、Ｒ、Ｗ、Ｎ、Ｓの関係はＲ≧Ｎ＞Ｗ＞Ｓとなる。
【００１４】
図５から図８に示すように、使用時において、まず訓練器具１０の切込１２にゴルフクラブ９０のシャフト９３の挿接端を通し、シャフト９３を訓練器具１０の軸孔１１中（図５、図６）に収容し、その後、訓練器具１０をクラブヘッド９１の方向へ移動し（この動作は重力を代りにして行ってもよい）、訓練器具１０が軸孔１１によってクラブヘッドのネック部９２を嵌め込んでカバーするようにすることにより、嵌め込み固定し、位置決めをする（図７、図８）。ゆえに、訓練器具１０が突発的に抜け出る危険はなくなり、使用する上で十分な安全性を備える。
【００１５】
使用しない時は、訓練器具１０をゴルフクラブ９０のグリップ９４の方向へ移動させ、軸孔１１をネック部９２位置より分離し、シャフト９３の挿接端まで移動させた後、訓練器具１０を切込１２に沿ってシャフト９３から取り出すだけでよく、操作する上では大変簡単で便利である。
異なるクラブ号数または異なるブランドのゴルフクラブは、そのシャフト挿接端及びクラブヘッドのネック部の外径は同一であるか、または略異なるが、その誤差値は相当に小さい範囲内である。ゆえに、訓練器具はほとんどのゴルフクラブに適うことができる。しかしながら、訓練器具１０をクラブヘッドのネック部９２に嵌め込んでカバーする際に、好ましい効果を有するようにするためには、訓練器具１０とクラブヘッドのネック部９２との間に不必要なぶつかり合いが生じるのを避けなければならない。そこで、弾性カバー部材、すなわち弾性の差込部材１４を設置し、軸孔１１をやや大きくし、さらに軸孔１１内で突出する弾性の差込部材がネック部９２と軸孔１１との間の隙間に嵌め込まれて隙間を塞ぐことを利用し、強制的に弾性を略有するような方式によって、訓練器具１０をクラブヘッドのネック部に嵌め込んで挟むようにする。このようにすることにより、ゴルフクラブが上方へ向けて最高位置に置かれる時でも、訓練器具１０が弛んで抜け、シャフト９３の方へ滑って移動するという心配がなくなる。
【００１６】
図９、図１０に示すように、本発明の第２の実施例の訓練器具２０は、その基本構造は第１の実施例の訓練器具１０と同一であり、異なるのは軸孔２１の軸方向Ｘと切込２２の軸方向Ｙが平行ではなく、その傾斜角がθであるという点である。その作用において、切込２２にシャフト９３を通した後、訓練器具２０を所定の角度（前述のＸ、Ｙ傾斜のθ角度）に回転させると、訓練器具２０をクラブヘッドのネック部９２に嵌め込んでカバーすることが可能となる。訓練器具２０を取り出したい時は、まず訓練器具２０をシャフト９３の挿接端に移動し、その後、訓練器具２０を前述のθ角度に回転させると、訓練器具２０を取り出すことができる。これより、たとえ使用中において、突発的に訓練器具２０がネック部９２からシャフト９３まで滑って抜け出たとしても、シャフト９３の外へ抜け出ることは不可能となり、使用者の安全をより確保するものとなる。
【００１７】
図１１は第３の実施例の訓練器具３０を示す図である。この訓練器具３０の基本形状は第１の実施例と同一であり、軸孔３１及び切込３２を有し、異なるのはゴムまたはプラスチック、もしくはゴムとプラスチックを混合して作られた殻体３３を有し、殻体３３内に重量配分部材３４を設ける点である。この重量配分部材３４はＣ形の金属ブロックであり、殻体３３内に予め埋め込まれている。または、金属砂もしくは些細な金属顆粒であって、殻体３３内を充填して成る。ゴムプラスチック材料自身の圧縮弾性により、溝及び弾性の差込部材をさらに設ける必要はなくなる。
【００１８】
図１２は第４の実施例の訓練器具４０を示す図である。軸孔４１及び切込４２を有し、異なるのはゴムまたはプラスチック、もしくはゴムとプラスチックを混合して作られた殻体４３を有し、殻体４３内に複数の重量配分ブロック４４を設ける点である。例えば３片であるとすると、使用者は自由に一個から数個の重量配分ブロック４４を選択して嵌設することが可能である。同時に、重量配分ブロック４４は重、中、軽の三種の異なる重量規格で設計して製造することができ、自由な組み合わせをすることによって多種の重量配分をすることが可能となり、使用者は個人の体力能力、及び訓練状態を見て、異なる重量配分による訓練を選択することができる。
【００１９】
図１３は第５の実施例の訓練器具５０を示す図である。軸孔５１、切込５２、殻体５３及び重量配分ブロック５４等の構造を有し、その特徴は重量配分ブロック５４が殻体５３の一端面より挿設されることである。
図１４は第６の実施例の訓練器具６０を示す図である。軸孔６１、切込６２、殻体６３及び重量配分ブロック６４等の構造を有し、その特徴として、殻体６３の端面に発光ユニット６６の収容に供される収容溝６５を有し、該発光ユニット６６は、実際にはＬＥＤ発光ダイオード６６１及びバッテリー６６２を有し、緩く、あるいはきつく回転する方式によって、電源を通電または切断させる。例えば、蓋６６３を回転させる、または蓋を設けずに直接該発光ダイオードを回転させることもでき、もしくは電源スイッチ６６４（図１５に示す）を増設し、ダイオード６６１の開閉を制御するために用いることも可能である。該発光ダイオード６６１は発光または連続フラッシュを持続するために設けることができる。また、発光ダイオード６６１は使用時において、その光源が使用者の顔の方向へ向く。これにより、スイングの際、図１６に示すように、発光ダイオードの移動の軌跡Ｔによってはっきりとクラブヘッド運動の進行経路を観察することができ、使用者が自己の打撃ショット経路を修正するのに便利である。
図１７は第７の実施例の訓練器具７０を示す。金属製で、基本構造は第１の実施例と同一であり、軸孔７１、切込７２、溝７３及び差込部材７４を有し、異なるのは発光ユニット７５を増設した点であり、その構造は前述の実施例と同一である。
【図面の簡単な説明】
【００２０】
【図１】本発明の第１の実施例による訓練器具を示す立体図である。
【図２】本発明の第１の実施例による訓練器具を示す正面図である。
【図３】本発明の第１の実施例による訓練器具を示す平面図である。
【図４】図３中の４−４切断線に沿った断面図である。
【図５】本発明の第１の実施例による切込にシャフトの挿接端に嵌合した状態を示す模式図である。
【図６】図５中の６−６切断線に沿った断面図である。
【図７】本発明の第１の実施例による訓練器具を下方に移動し、クラブヘッドのネック部に嵌合させた状態を示す模式図である。
【図８】図７中の７−７切断線に沿った断面図である。
【図９】本発明の第２の実施例による訓練器具を示す立体図である。
【図１０】本発明の第２の実施例による訓練器具を示す正面図である。
【図１１】本発明の第３の実施例による訓練器具の局部を切断した状態を示す立体図である。
【図１２】本発明の第４の実施例による訓練器具を示す立体図である。
【図１３】本発明の第５の実施例による訓練器具の局部を切断した状態を示す立体図である。
【図１４】本発明の第６の実施例による訓練器具の局部を切断した状態を示す立体図である。
【図１５】本発明の第６の実施例による訓練器具の局部を切断した状態を示す立体図である。
【図１６】本考案の第６の実施例による訓練器具の使用状態を示す模式図である。
【図１７】本発明の第７の実施例による訓練器具を示す立体図である。
【符号の説明】
【００２１】
１０  訓練器具、１１  軸孔、１２  切込、１３  溝、１４  差込部材、２０  訓練器具、２１  軸孔、２２  切込、３０  訓練器具、３１  軸孔、３２  切込、３３  殻体、３４  重量配分部材、４０  訓練器具、４１  軸孔、４２  切込、４３  殻体、４４  重量配分ブロック、５０  訓練器具、５１  軸孔、５２  切込、５３  殻体、５４  重量配分部材、６０  訓練器具、６１  軸孔、６２  切込、６３  殻体、６４  重量配分部材、６５  収容溝、６６  発光ユニット、７０  訓練器具、７１  軸孔、７２  切込、７３  溝、７４  差込部材、７５  発光ユニット、９０  ゴルフクラブ、９１  クラブヘッド、９２  ネック部、９３  シャフト、９４  グリップ、６６１  発光ダイオード、６６２  バッテリー、６６３  蓋、６６４  電源スイッチ
【図１】
2006346079.tif 000003
【図２】
2006346079.tif 000004
【図３】
2006346079.tif 000005
【図４】
2006346079.tif 000006
【図５】
2006346079.tif 000007
【図６】
2006346079.tif 000008
【図７】
2006346079.tif 000009
【図８】
2006346079.tif 000010
【図９】
2006346079.tif 000011
【図１０】
2006346079.tif 000012
【図１１】
2006346079.tif 000013
【図１２】
2006346079.tif 000014
【図１３】
2006346079.tif 000015
【図１４】
2006346079.tif 000016
【図１５】
2006346079.tif 000017
【図１６】
2006346079.tif 000018
【図１７】
2006346079.tif 000019